(57)【要約】【課題】  回転軸と送風ファンとの取付状態が不完全となることを防止するコイルばねが設けられている場合であっても、正常に取り付けられた場合には付勢力を解除すること。【解決手段】  送風ファン３０に設けられたばね線部４１を縮小方向のばね力により係合溝２６に係合させて送風ファン３０を回転軸２５に抜け止め状態に装着し、ばね線部４１の両端部を拡開し、係合溝２６から外れさせる着脱機構とを備え、送風ファン３０のボス部３３には、軸方向に往復動自在に設けられ、ピン２５に当接する当接面３６ｂを有するばねカバー３６と、ボス部３３に基端部３５ａが固定され、先端側３５ｂでばねカバー３６を送風ファン３０を回転軸２５から抜き出す方向に付勢する圧縮コイルばね３５と、ばねカバー３６には、圧縮コイルばね３５のばね圧縮量最大時にボス部３３に保持する固定爪３７ａと、ばね圧縮量最小時にボス部３３に保持する固定爪３７ｂとが設けられている。【選択図】      図１
2009235906.tif 000002
【特許請求の範囲】
【請求項１】
回転軸に送風ファンを着脱自在に取り付ける送風ファン装置において、
前記回転軸に設けられた回転伝達部と、
前記回転軸の外周部に形成された係合溝と、
前記送風ファンに設けられ、前記回転軸への挿入により前記回転伝達部に係合する被回転伝達部と、
前記送風ファンに設けられ、対向する一対のばね線部を有した二股状の係合部材及び前記一対のばね線部を拡開させるためのテーパ状の拡開部を設け、前記ばね線部をその縮小方向のばね力により前記係合溝に係合させて前記送風ファンを回転軸に抜け止め状態に装着し、前記係合部材をばね線部の突出方向に移動操作することにより、ばね線部の両端部が前記拡開部のテーパ面上を摺動して拡開し、前記係合溝から外れさせる着脱機構とを備え、
前記送風ファンのボス部には、軸方向に往復動自在に設けられ、前記回転伝達部に当接する当接面を有するばねカバーと、
前記ボス部又は前記ばねカバーのいずれか一方に基端部が固定され、その先端側で他方を前記送風ファンを前記回転軸から抜き出す方向に付勢する圧縮コイルばねと、
前記ばねカバーには、前記圧縮コイルばねのばね圧縮量最大時に前記ボス部に保持する第１固定爪と、ばね圧縮量最小時に前記ボス部に保持する第２固定爪とが設けられていることを特微とする送風ファン装置。
【請求項２】
前記第１固定爪は、前記一対のばね線部の両端部が前記拡開部のテーパ面上を摺動して拡開したときに、前記一対のばね線部が当接することで、前記ボス部との係合が解除される位置に設けられていることを特徴とする請求項１に記載の送風ファン装置。
【発明の詳細な説明】
【技術分野】
【０００１】
本発明は、モータ等の回転軸に形成した係合溝に送風ファンに設けた係合部材の一対のばね線部を係合させて送風ファンを回転軸に抜け止め状態に装着する構成の送風ファン装置に関し、特に送風ファンの抜け止めをより確実に行い得るようにしたものに関する。
【背景技術】
【０００２】
例えば換気扇等の送風ファン装置において、駆動モータ１００と送風ファン２００との着脱操作の容易化を図ったものが知られている（例えば、特許文献１参照）。これは図１０に示すように駆動モータ１００の回転軸１０１の外周部に係合溝１０２を形成すると共に、送風ファン２００に、係合部材２１０を設けたものとなっている。係合部材２１０は、一対のばね線部２１１を有した二股状に形成され、その基端側に操作部材としてのプラスチック製の押釦２１２が設けられている。また送風ファン２００には一対のばね線部２１１を拡開させるためのテーパ面２２１を有する拡開部２２０が設けられている。なお、図１０中２３０はボス部、２３１はボス部の凹部、１０３はピンを示している。
【０００３】
このような送風ファン装置では、ピン１０３をボス部２３０の凹部２３１に係合させることで、回転力を伝達させている。また、ばね線部２１１をその縮小方向のばね力により係合溝１０２に係合させて送風ファン２００を回転軸１０１に抜け止め状態に装着し、押釦２１２をばね線部２１１の先端方向に移動操作することにより、ばね線部２１１の両端部が拡開部２２０のテーパ面２２１を摺動して拡開し、係合溝１０２から外れるように構成されている。
【０００４】
また、送風ファン２００のボス部２３０には送風ファン２００を回転軸１０１から抜き出す方向に付勢する圧縮コイルばね２３２が設けられており、ばね線部２１１が係合溝１０２から外れると、送風ファン２００は圧縮コイルばね２３２の弾性力により回転軸１０１から抜き出る方向に付勢されるため、取り外し操作が容易である。
【０００５】
一方、取り付け時においても送風ファン２００の取り付けが不完全であると、圧縮コイルばね２３２により送風ファン２００が回転軸１０１から抜き出される。このため、不完全な状態で取り付けられることを防止し、送風ファン２００の回転中に不用意に脱落することを防止できる。
【特許文献１】実公平３−４１１１５号公報
【発明の開示】
【発明が解決しようとする課題】
【０００６】
上述した送風ファン装置では、次のような問題があった。すなわち、送風ファン２００が正常に取り付けられた状態であっても、圧縮コイルばね２３２により送風ファン２００が常に回転軸１０１から抜き出る方向に付勢されているため、ばね線部２１１が係合溝１０２から抜け外れてしまうことも考えられる。
【０００７】
そこで本発明は、送風ファンを回転軸から抜け出させる付勢力が作用させることで、回転軸と送風ファンとの取付状態が不完全となることを防止するコイルばねが設けられている場合であっても、正常に取り付けられた場合には付勢力を解除することができる送風ファン装置を提供することを目的としている。
【課題を解決するための手段】
【０００８】
前記課題を解決し目的を達成するために、本発明の送風ファン装置は次のように構成されている。
【０００９】
回転軸に送風ファンを着脱自在に取り付ける送風ファン装置において、前記回転軸に設けられた回転伝達部と、前記回転軸の外周部に形成された係合溝と、前記送風ファンに設けられ、前記回転軸への挿入により前記回転伝達部に係合する被回転伝達部と、前記送風ファンに設けられ、対向する一対のばね線部を有した二股状の係合部材及び前記一対のばね線部を拡開させるためのテーパ状の拡開部を設け、前記ばね線部をその縮小方向のばね力により前記係合溝に係合させて前記送風ファンを回転軸に抜け止め状態に装着し、前記係合部材をばね線部の突出方向に移動操作することにより、ばね線部の両端部が前記拡開部のテーパ面上を摺動して拡開し、前記係合溝から外れさせる着脱機構とを備え、前記送風ファンのボス部には、軸方向に往復動自在に設けられ、前記回転伝達部に当接する当接面を有するばねカバーと、前記ボス部又は前記ばねカバーのいずれか一方に基端部が固定され、その先端側で他方を前記送風ファンを前記回転軸から抜き出す方向に付勢する圧縮コイルばねと、前記ばねカバーには、前記圧縮コイルばねのばね圧縮量最大時に前記ボス部に保持する第１固定爪と、ばね圧縮量最小時に前記ボス部に保持する第２固定爪とが設けられていることを特微とする。
【発明の効果】
【００１０】
本発明によれば、送風ファンを回転軸から抜け出させる付勢力が作用させることで、回転軸と送風ファンとの取付状態が不完全となることを防止するコイルばねが設けられている場合であっても、正常に取り付けられた場合には付勢力を解除することが可能となる。
【発明を実施するための最良の形態】
【００１１】
図１は本発明の第１の実施の形態に係る換気扇（送風ファン装置）１０を示す縦断面図、図２は同送風ファン装置の要部を示す縦断面図、図３は同送風ファン装置の取付前の初期状態を示す要部縦断面図、図４は同送風ファン装置の取付状態を示す要部縦断面図である。
【００１２】
換気扇１０は、壁等に固定される本体２０と、この本体２０に着脱自在に取り付けられる送風ファン３０とを備えている。
【００１３】
本体２０は、矩形状の外枠２１を備えており、この外枠２１の室内側にはべルマウス２２、室外側には風圧開放式のシャッタ２３が取り付けられている。外枠２１の中央部には駆動モータ２４が取り付けられている。駆動モータ２４には、送風ファン３０を着脱可能に取り付けられる回転軸２５が設けられている。
【００１４】
送風ファン３０は、円筒状の羽根基部３１の外周部に羽根片３２を放射状に突設してなるもので羽根基部３１の中心部には、回転軸２５に嵌合される嵌合孔３３ａを有した段付円筒状のボス部３３が突設されている。このボス部３３の先端面には、凹部（被回転伝達部）３４が形成されていて、送風ファン３０が回転軸２５に装着されると、凹部３４が回転軸２５に固着したピン（回転伝達部）２５ａの両端部に係合するように構成されている。そして、この凹部３４とピン２５ａとの係合により、回転軸２５から送風ファン３０への回転伝達を行う機能を有している。
【００１５】
ボス部３３の外周側には送風ファン３０を回転軸２５から抜き出す方向に付勢する圧縮コイルばね３５が同軸的に設けられ、さらに圧縮コイルばね３５の外周側にはばねカバー３６が同軸的に設けられている。圧縮コイルばね３５の基端部３５ａはボス部３３の鍔部３３ｂに固定されている。
【００１６】
ばねカバー３６はボス部３３に対し、軸方向にスライド可能に配置され、その本体２０側には、中心軸側に向けて突出した鍔部３６ａが形成されている。鍔部３６ａは、ばねカバー３６が図３中右方向に移動したときに圧縮コイルばね３５の先端部３５ｂが当接するとともに、ピン２５ａに対向配置された当接面３６ｂが設けられている。さらに、本体２０とは反対側には、外周側に向けて突出した固定爪（第１固定爪）３７ａ及び固定爪（第２固定爪）３７ｂが軸方向に離間して設けられている。固定爪３７ａ、３７ｂは、ばねカバー３６の外周に沿って複数箇所に設けられている。図３においては、分かりやすくするために固定爪３７ａ、３７ｂを回転軸２５の軸線方向に揃えて表わしているが周方向に位置をずらせて配置するほうが望ましい。固定爪３７ａ、３７ｂは、それぞれ圧縮コイルばね３５のばね圧縮量最大時とばね圧縮量最小時の２段階の位置でボス部３３の外側鍔部３３ｃに係合するように形成されている。
【００１７】
回転軸２５の外周部には、係合溝２６が形成されている。また、送風ファン３０には、間隔が狭くなる方向へ付勢され、係合溝２６に係合することで回転軸２５に抜け止め状態とするための対向する一対のばね線部４１が基端４１ａ側で結合する二股状の係合部材４０が設けられている。
【００１８】
また、係合部材４０の開口先端側に配置され、係合部材４０をその基端４１ａ側から開口先端側に移動することにより、一対のばね線部４１の先端側に摺接して一対のばね線部４１を拡開させ、係合部材４０のばね線部４１を係合溝２６から外れさせるテーパ状の拡開部６０とを備えている。また、第１の係合部材４０の基端４１ａ側には、操作部材としてのプラスチック製の押釦７０が設けられている。
【００１９】
このように構成された本体２０と送風ファン３０との着脱方法について説明する。送風ファン３０の取付時は、ボス部３３側から回転軸２５に挿入してゆく。このとき、図３に示すように、固定爪３７ｂがボス部３３の外側鍔部３３ｃに係合するとともに、ばね力バー３６の当接面３６ｂがピン２５ａに当接する。このため、圧縮コイルばね３５の先端部３５ｂがばねカバーの鍔部３６ａに当接する。当接した時点での圧縮コイルばね３５は、ばね圧縮量最小となる。
【００２０】
さらに送風ファン３０を押し込むと、圧縮コイルばね３５が圧縮されてゆき、この圧縮コイルばね３５の弾性力により、ばね力バー３６の当接面３６ｂがピン２５ａを押圧してピン２５ａを抜け出させる方向に作用する。しかしながら、この弾性力に抗して、係合部材４０の一対のばね線部４１が係合溝２６に係合するまで押し込む。これにより、図４に示すように、凹部３４がピン２５ａの両端部に係合する。このとき、固定爪３７ａがボス部３３の外側鍔部３３ｃに係合する。
【００２１】
このときの圧縮コイルばね３５は、ばね圧縮量最大となるが、ばねカバー３６は、固定爪３７ａによって固定されることとなり、圧縮コイルばね３５の弾性力がばねカバー３６に作用せず、ばね力バー３６の当接面３６ｂがピン２５ａを押圧することがない。したがて、正常に取り付けられた状態では、送風ファン３０は回転軸２５から抜き出る方向に付勢されないため、圧縮コイルばね３５が送風ファン３０を脱落させる方向には機能せず、安全性を向上させることができる。すなわち、万が一、正常な取り付け状態から、ばね線部４１が係合溝２６から外れたとしても、圧縮コイルばね３５の弾性力がばねカバー３６に作用しないため、送風ファン３０が回転軸２５から抜き出る方向に付勢されることはなく、送風ファン３０が回転軸２５から抜け出て飛び出すようなことはない。
【００２２】
そして、一対のばね線部４１がその縮小方向のばね力により係合溝２６に係合することで、送風ファン３０を回転軸２５に抜け止め状態に装着することとなる。したがって、係合部材４０により、送風ファン３０の抜け止めを行うとともに、回転軸２５から送風ファン３０への回転伝達が可能となる。
【００２３】
一方、送風ファン３０を不完全に取り付けた場合は固定爪３７ａが外側鍔部３３ｃに係合しないため、圧縮コイルばね３５の弾性力がそのままばねカバー３６に作用することにより、ばね力バー３６の当接面３６ｂがピン２５ａを押圧する。このため、送風ファン３０が回転軸２５から抜き出させることによって、不完全な状態で取り付けられることが防止される。したがって、送風ファン３０が回転軸２５に不完全な状態で装着されることが防止できる。
【００２４】
また、圧縮コイルばね３５は、ばね圧縮量最小状態である圧縮コイルばね３５の先端部３５ｂがばねカバーの鍔部３６ａに当接した時にボス部３３の先端面が回転軸２５に固着したピン（回転伝達部）２５ａの両端部に当たらない寸法設定をしておけば、不完全な状態で取り付けられた時に回転軸２５の回転が送風ファン３０に正常に伝わらなくなる。この結果、駆動モータ２４を運転しても、送風ファン３０が回転しない若しくは回転が非常に低速となるため、取付け者はこれを見て送風ファン３０が回転軸２５に正常に取り付けられていないことを認識することができる。
【００２５】
送風ファン３０を取外す際は、押釦７０を一対のばね線部４１の先端方向に移動操作しながら送風ファン３０を回転軸２５の先端方向に引き抜くことにより一対のばね線部４１の先端部が拡開部６０のテーパ面６１を摺動して拡開し、ばね線部４１が係合溝２６から外れる。
【００２６】
上述したように、本実施の形態に係る換気扇１０によれば、送風ファン３０を不完全に取り付けた場合、圧縮コイルばね３５により送風ファン３０が回転軸２５から抜き出させることによって不完全な状態で取り付けられることを防止し、運転中の不用意な脱落を防止できる。また正常に取り付けられた状態では、圧縮コイルばね３５のばね圧縮量最大時の位置でばねカバー３６が送風ファン３０のボス部３３に保持されることとなり、送風ファン３０は回転軸２５から抜き出る方向に付勢されないため、運転中に不用意な脱落が発生することを防止できる。
【００２７】
（第２の実施例）
図５は本発明の第２の実施の形態に係る送風ファン装置１０Ａの取付状態を示す要部縦断面図、図６は同送風ファン装置１０Ａの中心側部分の取付前の初期状態を示す正面図である。図５，６において図１〜図４と同一機能部分に同一符号を付し、その詳細な説明は省略する。
【００２８】
本実施の形態に係る送風ファン装置１０Ａでは、図５に示すように、固定爪３７ａの代わりに固定爪３７ｃが内径側に突出し、ボス部３３に係合している。固定爪３７ｃの軸方向の位置は固定爪３７ａと同じであるため、送風ファン３０が正規に取り付けられた状態では、ばね力バー３６は、圧縮コイルばね３５のばね圧縮量最大時の位置で保持される。
【００２９】
押釦７０をばね線部４１の突出方向に移動操作することにより、ばね線部４１の両端部が拡開部６０のテーパ面６１を摺動して拡開したときのばね線部４１の軌跡上に固定爪３７ａが位置することとなる。
【００３０】
このように構成されていると、送風ファン３０を取り外す場合、押釦７０をばね線部４１の突出方向に移動操作することにより、ばね線部４１が拡開したときにばね圧縮量最大時の位置で保持するばねカバー３６の固定爪３６ｃが解除され、圧縮コイルばね３５の弾性力によってばね力バー３６は、ばね圧縮量最小時の位置（初期状態）にスライドする。よって再度取り付ける場合も初期状態への設定が不要となり、取付作業性が向上する。
【００３１】
上述したように、本実施の形態に係る送風ファン装置１０Ａによれば、上述した送風ファン１０Ａと同様の効果が得られるとともに、送風ファン３０を取り外す場合、係合部材４０をばね線部４１の突出方向に移動操作することにより、ばね線部４１が拡開したときに、圧縮コイルばね３５のばね圧縮量最大時の位置で保持するばねカバー３６の固定爪３６ｃが解除され、圧縮コイルばね３５の弾性力によってばねカバー３６はばね圧縮量最小時の位置（初期状態）にスライドする。よって、送風ファン３０を再度回転軸２５に取り付ける場合も初期状態への設定が不要となり、取付作業性が向上する。
【００３２】
なお、本発明は前記実施の形態に限定されるものではない。この他、本発明の要旨を逸脱しない範囲で種々変形実施可能であるのは勿論である。
【図面の簡単な説明】
【００３３】
【図１】本発明の第１の実施の形態に係る送風ファン装置が組み込まれた換気扇を示す縦断面図。
【図２】同送風ファン装置の要部を示す縦断面図。
【図３】同送風ファン装置の取付前の初期状態を示す要部縦断面図。
【図４】同送風ファン装置の取付状態を示す要部縦断面図。
【図５】本発明の第２の実施の形態に係る送風ファン装置の取付前の初期状態を示す要部縦断面図。
【図６】同送風ファン装置の中心側部分の取付前の初期状態を示す正面図。
【図７】従来の送風ファン装置を示す要部縦断面図。
【図８】同送風ファン装置に組み込まれた送風ファンの要部を示す背面図。
【符号の説明】
【００３４】
１０，１０Ａ…換気扇（送風ファン）、２０…本体、２４…駆動モータ、２５…回転軸、２５ａ…ピン（回転伝達部）、２６…係合溝、３０…送風ファン、３３…ボス部、３３ｂ…鍔部、３３ｃ…外側鍔部、３４…凹部（被回転伝達部）、３５…圧縮コイルばね、３６…ばねカバー、３６ａ…鍔部、３６ｂ…当接面、３７ａ…固定爪（第１固定爪）、３７ｂ…固定爪（第２固定爪）、４０…第１の係合部材、４１…一対のばね線部、６０…拡開部、７０…押釦。
【図１】
2009235906.tif 000003
【図２】
2009235906.tif 000004
【図３】
2009235906.tif 000005
【図４】
2009235906.tif 000006
【図５】
2009235906.tif 000007
【図６】
2009235906.tif 000008
【図７】
2009235906.tif 000009
【図８】
2009235906.tif 000010